(57)【特許請求の範囲】
【請求項１】
ボイラ供給用の水を、ボイラ給水用に処理して給水タンク側に供給する水処理装置を備えたボイラシステムの運転方法であって、
前記水処理装置全体又は前記水処理装置の一部の処理能力を、ボイラの最大負荷時に要求される処理能力より小さくするとともに、この処理能力を小さくした前記水処理装置全体又は前記水処理装置の一部をバイパスするバイパスラインを設けて、このバイパスラインの通水弁を前記給水タンクの水位によって制御し、
かつ、前記ボイラ給水中における前記通水弁を通った水の割合で、このボイラ給水の水質低下を判断し、この水質低下の判断に基づいて、少なくとも、薬注装置からの薬液注入量及び前記ボイラからブローされる缶水のブロー率の何れかを制御することを特徴とするボイラシステムの運転方法。
【請求項２】
前記ボイラ供給用の水が、軟化処理された軟水であることを特徴とする請求項１記載のボイラシステムの運転方法。
【発明の詳細な説明】
【技術分野】
【０００１】
この発明は、ボイラ供給用の水を、ボイラ給水用に処理して給水タンク側に供給する水処理装置を備えたボイラシステムの運転方法に関するものである。
【背景技術】
【０００２】
ボイラとこのボイラに対する水処理装置とを備えたボイラシステムでは、し水、地下水、工業用水といった原水から、硬度性分などの不純物を除去したボイラ給水を作るとともに、このボイラ給水に、脱酸素剤、スケール防止剤、清缶剤といったボイラ処理剤を注入したものを、ボイラに供給している。
【０００３】
一方、原水からの不純物を除去する水処理装置には、原水を軟化処理（硬度成分の除去）して軟水を作る軟水装置や、ナノろ過膜や逆浸透膜のようなろ過膜を使用して、原水や軟水を脱塩処理する脱塩装置（例えば、特許文献１ではナノろ過膜を使用したものを開示、特許文献２では逆浸透膜を使用したものを開示）や、軟水や脱塩水の脱酸素処理を行う脱酸素装置（例えば、特許文献１では脱塩水を脱酸素処理するものを開示）がある。
【０００４】
【特許文献１】特開２００５−２８８２１９号公報
【特許文献２】特許第３５９３７２３号公報
【発明の開示】
【発明が解決しようとする課題】
【０００５】
しかしながら、上記従来の、水処理装置は、ボイラ側で要求される給水量（ボイラの負荷）に対して、予め設定された水質の水をボイラ側に供給できるように設計されている。このため、これらの水処理装置を備えたボイラシステムでは、ボイラの最大（ピーク）負荷に合わせて、これらの水処理装置の処理能力を定める必要があり、水処理装置の処理能力が過大になりやすいという問題があった。なお、この問題は、水処理装置の一部についても同様のことが言える。
【０００６】
一方、バイパスラインを設けて、水処理装置又は水処理装置の一部の処理能力をボイラ側で要求される給水量よりも小さくすると、このバイパスラインの使用によって、ボイラ給水の水質低下が生じ、ボイラ給水の水質が一定に保てなくなる。このため、このようなボイラシステムでは、ボイラ缶水の水質が大きく変動して、ボイラ側に、キャリオーバ、スケール障害、腐食といった種々の問題が生じる。
【０００７】
この発明は、以上の点に鑑み、ボイラの最大負荷時に要求される処理能力よりも小さな処理能力しか有さない水処理装置又は水処理装置の一部を備えた場合でも、ボイラ側に、水処理に起因した種々の問題を引き起こさせることのないボイラシステムの運転方法を提供することを目的とする。
【課題を解決するための手段】
【０００８】
この発明の請求項１記載の発明は、ボイラ供給用の水を、ボイラ給水用に処理して給水タンク側に供給する水処理装置を備えたボイラシステムの運転方法であって、前記水処理装置全体又は前記水処理装置の一部の処理能力を、ボイラの最大負荷時に要求される処理能力より小さくするとともに、この処理能力を小さくした前記水処理装置全体又は前記水処理装置の一部をバイパスするバイパスラインを設けて、このバイパスラインの通水弁を前記給水タンクの水位によって制御し、かつ、前記ボイラ給水中における前記通水弁を通った水の割合で、このボイラ給水の水質低下を判断し、この水質低下の判断に基づいて、少なくとも、薬注装置からの薬液注入量及び前記ボイラからブローされる缶水のブロー率の何れかを制御することを特徴とする。
【０００９】
この発明では、ボイラの負荷が低い場合には、バイパスライン中の通水弁は閉じられ、ボイラ供給用の水は、水処理装置によって所定の水質になるよう処理されて、給水タンクに供給される。この場合、ボイラ側では、ボイラの負荷に合わせた通常の処理、すなわち、薬注装置を介して、所定の薬液が所定量だけボイラ給水ラインに供給されるとともに、ボイラから所定ブロー率の缶水がブローされる。一方、ボイラの負荷が、バイパスラインが設けられた水処理装置（又は水処理装置の一部）の処理能力より大きくなると、給水タンクのレベルが低下してくるが、このレベルが所定値より低下すると、通水弁が開けられ、給水タンク中には、一部、水処理装置（又は水処理装置の一部）によって処理されない水が供給され、ボイラ給水中における通水弁を通った水の割合で、給水タンク内のボイラ給水に水質低下が生じる。この場合、ボイラ側では、ボイラの負荷に合わせた通常の処理に加えて、ボイラ給水の水質低下が生じた分を考慮した、薬液注入とボイラの缶水のブローがなされる。
【００１０】
すなわち、例えば、バイパスラインが設けられた水処理装置（又は水処理装置の一部）が、ろ過膜を使用した脱塩装置の場合には、薬注装置からの清缶剤の注入量が減らされ、かつ、スケール防止剤の注入量が増やされるとともに、ボイラ缶水のブロー率が上げられる。また、バイパスラインが設けられた水処理装置（又は水処理装置の一部）が、脱酸素装置の場合には、薬注装置からの脱酸素剤の注入が開始されるか又はその注入量が増加される。なお、通水弁は、全開と全閉とで制御されるものであってもよいし、バイパスライン中の水の流量を連続的に変えられるように、開度調整制御されるものであってもよい。
【００１１】
この発明の請求項２記載の発明は、請求項１記載の発明の場合において、前記ボイラ供給用の水が、軟化処理された軟水であることを特徴とする。
【発明の効果】
【００１４】
この発明の請求項１記載の発明によれば、バイパスラインの通水弁が開けられて、ボイラ給水の水質低下が生じた場合でも、この水質低下に対応させて、薬注装置からの薬液注入量を変化させたり、ボイラからの缶水ブロー率を変化させて、缶水中の不純物濃度の値や変動幅を小さく抑えて安定化させているので、ボイラ側に、キャリオーバ、スケール障害、腐食等の問題が生じることはない。したがって、これらの発明では、水処理装置（又は水処理装置の一部）の処理能力をボイラの最大負荷時に要求される処理能力より小さくしても、ボイラ側に水処理に起因した種々の問題を引き起こさせることはない。すなわち、これらの発明では、水処理装置又は水処理装置の一部の処理能力を、ボイラの最大負荷時に要求される処理能力に合わせたものとする必要がなく、水処理装置又は水処理装置の一部が過大になるのを防止することができる。この場合、ボイラ給水の水質低下を、ボイラ給水中に占める通水弁を通った水の割合で判断しているので、ボイラ給水の水質低下に対する薬液注入量や缶水ブロー率の増減を細かく算定することがきる。
【００１５】
この発明の請求項２記載の発明によれば、パイパスラインを通って硬度成分を含んだ水が給水タンクに流れ込むことがないので、缶水のブロー率や薬液使用量の急激な増加を抑えることができる。
【発明を実施するための最良の形態】
【００１７】
以下、この発明の実施の形態を図面を参照しつつ説明する。
図１は、この発明の一実施の形態に係るボイラシステムＡを示している。
ボイラシステムＡは、図１で示されるように、ボイラ装置１と、水処理装置２と、バイパス装置３とから構成されている。
【００１８】
ボイラ装置１は、蒸気Ｓの発生装置であり、例えば同じ容量の２缶のボイラ１０，１０と、給水タンク（ホットウェルタンク）１１と、給水ライン１２ａ，１２ａ中に給水ポンプ１２ｂ、１２ｂ等を備え、給水タンク１１から２缶のボイラ１０，１０にボイラ給水Ｗ３を供給する給水設備１２，１２と、給水ライン１２ａ，１２ａ内のボイラ給水Ｗ３に、所定の薬液を所定量だけ注入する薬注装置１３，１３と、各ボイラ１０内の缶水Ｗ４を、給水流量に基づいた所定のブロー率で連続的にブローする缶水ブロー装置１４，１４とを有している。
【００１９】
ボイラ１０は、例えば、数ｔ／ｈｒの蒸気Ｓを発生させるものである。２缶のボイラ１０，１０は、同時に運転されるので、これらのボイラ１０，１０の最大負荷は、２缶のものを合計したものとなる。各ボイラ１０に対する給水量は、不図示の流量計によって計測され、その給水流量信号が、バイパス装置３の制御装置３２（後述）に伝達される。
【００２０】
給水タンク１１は、ボイラ給水Ｗ１を所定量だけ貯めるものであり、給水タンク１１内の所定の水レベルに応じて信号を発するレベルスイッチ１１ａを有している。
【００２１】
薬注装置１３は、内部が３分割された薬注タンク１３ａと、吐出量が変更可能な３台の薬注ポンプ１３ｂ，１３ｂ，１３ｂと、配管等からなるものである。薬注タンク１３ａには、例えば、清缶剤と、スケール防止剤と、脱酸素剤とが貯められており、これらの各薬液は、それぞれ薬注ポンプ１３ｂによって、ボイラ給水Ｗ３中に注入される。この薬注装置１３は、バイパス装置３からの信号に基づいて、各薬注ポンプ１３ｂの吐出量を制御して、給水ライン１２ａ，１２ａに、３つの薬液を所定量だけ注入する。
【００２２】
缶水ブロー装置１４は、流量制御可能なブロー弁１４ａと配管等からなるものである。この缶水ブロー装置１４は、バイパス装置３からの信号に基づいて、ブロー弁１４ａの開度調整を行い、給水流量に基づいた所定のブロー率で、ボイラ１０内の缶水Ｗ４を所定量ずつ連続ブローする。
【００２３】
水処理装置２は、懸濁固形物等が除去されている、水道水、地下水、工業用水といった原水Ｗ０を、ボイラ給水Ｗ３となるように処理して、ボイラ装置２の給水タンク１１に供給するものである。この水処理装置２は、軟水装置２０と、この軟水装置２０の下流側に設けられる、ろ過膜使用の脱塩装置２１とから構成される。
【００２４】
軟水装置２０は、軟水器、軟水タンク、ポンプ等から構成されている。この軟水装置２０は、所定の水圧が加えられた原水Ｗ０を、軟水器により軟化処理（硬度成分を除去）して軟水Ｗ１とした後、これを軟水タンクに貯め、この軟水タンクに貯められた軟水Ｗ１をポンプで送り出すものである。この軟水装置２０は、２缶のボイラ１０，１０の最大負荷時に要求される処理能力を有している。
【００２５】
脱塩装置２１は、軟水Ｗ１中の塩類を逆浸透膜を用いて除去するものであり、逆浸透膜分離装置２１ａと、ガードフィルター２１ｂと、送水ポンプ２１ｃと、熱交換器２１ｄとから構成されている。この脱塩装置２１は、２缶のボイラ１０，１０の最大負荷時に要求される処理能力の、例えば５０％（１缶のボイラ１０の最大負荷時の処理能力）の処理能力しか有していない。なお、ガードフィルター２１ｂと熱交換器２１ｄは、逆浸透膜分離装置２１ａの前処理装置であり、送水ポンプ２１ｃは、脱塩装置２１の運転・停止を行うものである。
【００２６】
バイパス装置３は、軟水装置２０出口から給水タンク１１迄の間の脱塩装置２１を、配管によってバイパスするバイパスライン３０と、このバイパスライン３０を開閉する通水弁としての開閉弁３１と、給水タンク１１のレベル制御を行うとともに、薬注装置１４やブロー装置１４を制御する、制御手段としての制御装置３２とを有している。
【００２７】
バイパスライン３０のサイズは、少なくとも、１缶のボイラ１０の最大負荷時の給水量をまかなえるものである。開閉弁３１は、全開と全閉の２位置で制御され、開閉弁３１が開の場合、この開閉弁３１中を流れる軟水Ｗ１の流量はほぼ一定と考えられる。この開閉弁３１は、制御装置３２によって、開閉が制御されるとともに、開及び閉の信号を制御装置３２に伝達する。
【００２８】
制御装置３２は、開閉弁３１の開閉制御と送水ポンプ２１ｃのＯＮ／ＯＦＦ制御とによって、給水タンク１１のレベル制御を行うレベル制御部３２ａと、ボイラ給水Ｗ３の水質と各ボイラ１０への給水流量とに基づいて、薬注装置１４からの薬液注入量を制御するとともに、ブロー装置１４によるボイラ１０からの缶水Ｗ４のブロー量を制御する薬注ブロー制御部３２ｂとを有している。
【００２９】
レベル制御部３２ａは、レベルスイッチ１１ａからの信号により、給水タンク１１の水レベルが高レベルＨに達すると、送水ポンプ２１ｃを止めて脱塩装置２１の運転を停止させるとともに、給水タンク１１の水レベルが高レベルＨになってから所定時間（例えば１５分）が経過すると、送水ポンプ２１ｃを動かして脱塩装置２１を運転させる。もちろん、レベル制御部３２ａは、所定時間前に、給水タンク１１の水レベルが低レベルＨに達した場合も、同様に、脱塩装置２１を運転させる。また、レベル制御部３２ａは、レベルスイッチ１１ａからの信号により、給水タンク１１の水レベルが低レベルＬに達すると、開閉弁３１を開け、バイパスライン３０を用いて、給水タンク１１に軟水Ｗ１を供給させるとともに、給水タンク１１の水レベルが高レベルＨに達すると、開閉弁３１を閉じて、給水タンク１１へのバイパスライン３０を用いた軟水Ｗ１の供給を停止させる。
【００３０】
薬注ブロー制御部３２ｂは、給水タンク１１内のボイラ給水Ｗ３が、脱塩装置２１によって処理された脱塩水Ｗ２で満たされている場合には、薬注装置１３を制御して、給水量に対する一定の注入割合（以下標準の注入割合という）の薬液（清缶剤、スケール防止剤、脱酸素剤）を、各ボイラ１０の給水流量に応じた量だけ注入させるとともに、缶水ブロー装置１４を制御して、標準のブロー率（例えば５％）で、各ボイラ１０の給水流量に応じた量だけ、各ボイラ１０から缶水Ｗ４を連続ブローさせる。
【００３１】
また、薬注ブロー制御部３２ｂは、開閉弁３１が開くことにより、給水タンク１１内のボイラ給水Ｗ３に軟水Ｗ１が混ざって、ボイラ給水Ｗ３の水質が低下した場合には、ボイラ給水Ｗ３中の軟水Ｗ１の割合に応じて、所定の薬液の注入割合を標準のものから変化（増加又は減少）させるとともに、缶水ブロー装置１４によるブロー率を前記標準のものから増加させる。
【００３２】
すなわち、薬注ブロー制御部３２ｂは、ボイラ給水Ｗ３中の軟水Ｗ１の割合が増加するほど、ボイラ給水Ｗ３のアルカリ度が増加するのを考慮して、清缶剤の注入割合を減少させるとともに、硬度成分の混入によるスケールの付着を考慮して、スケール防止剤の注入割合を増加させる。この場合、脱酸素剤の注入割合を変化させる必要はない。また、この薬注ブロー制御部３２ｂは、ボイラ給水Ｗ３中の軟水Ｗ１の割合が増加するほど、ボイラ缶水Ｗ４中の不純物濃度が高くなることを考慮して、ブロー率を標準の値（５％）から増加させる。
【００３３】
ここで、ボイラ給水Ｗ３中の軟水Ｗ１の割合は、開閉弁３１中を流れる軟水Ｗ１の流量を一定とすれば、開閉弁３１が開いてから、ある程度急激に増加し、一定時間経過後（ボイラ給水Ｗ３の撹拌が充分な場合には、開閉弁３１が閉じる時）に最大となり、開閉弁３１が閉じた後もこの最大の状態が維持される（開閉弁３１が閉じると脱塩装置２１の運転も停止される）。そして、このボイラ給水Ｗ３中の軟水Ｗ１の割合は、開閉弁３１が閉じて一定時間が経過し、脱塩装置２１が再度運転されると、減少し始めて、それから一定時間経過後にほぼゼロ（０）となる。そこで、薬注ブロー制御部３２ｂは、このようなボイラ給水Ｗ３中の軟水Ｗ１の割合の変化を考慮して、薬注装置１３に対して、所定の薬液（清缶剤とスケール防止剤）の注入割合を変化させるようにするとともに、缶水ブロー装置１４に対して、ブロー率を、標準の値（５％）から増加させ、その後、標準の値まで減少させるようにした。
【００３４】
つぎに、このボイラシステムＡの作用効果について説明する。
２缶のボイラ１０，１０の合計負荷が低い場合には、各ボイラ１０への給水は、脱塩装置２１によってまかなうことができるので、給水タンク１１内は脱塩水Ｗ２で満たされ、各ボイラ１０には、ボイラ給水Ｗ３として、脱塩水Ｗ２が供給される。このため、制御装置３２の薬注ブロー制御部３２ｂは、薬液の注入割合を標準のものとし、２つの薬注装置１３，１３を制御して、各薬液（清缶剤、スケール防止剤、脱酸素剤）を、標準の注入割合で、かつ、各ボイラ１０の給水流量に応じて、各ボイラ１０の各給水ライン１２ａに注入させる。また、薬注ブロー制御部３２ｂは、缶水Ｗ４のブロー率を標準のものとし、２つの缶水ブロー装置１４，１４を制御して、標準のブロー率で、かつ、各ボイラ１０の給水流量に応じて、各ボイラ１０から缶水Ｗ４をブローさせる。
【００３５】
レベル制御部３２ａは、給水タンク１１の水レベルが高レベルＨに達すると、送水ポンプ２１ｃを止めて、脱塩装置２１の運転を停止させ、その後一定時間が経過すると、送水ポンプ２１ｃを作動させて、脱塩装置２１の運転を開始させる。なお、レベル制御部３２ａは、上記一定時間に達する前に給水タンク１１の水レベルが低レベルＬに達すると、送水ポンプ２１ｃを作動させて、脱塩装置２１の運転を開始させる。
【００３６】
また、２缶のボイラ１０，１０の合計負荷が上昇し、脱塩装置２１による脱塩水Ｗ２の供給量が、２缶のボイラ１０，１０の合計負荷により要求される量より下まわると、給水タンク１１の水レベルは下降する。そして、給水タンク１１の水レベルが低レベルＬに達すると、レベル制御部３２ａは、脱塩装置２１をバイパスするバイパスライン３０の開閉弁３１を開けさせ、給水タンク１１中に軟水Ｗ１を供給させる。このことにより、給水タンク１１内では、脱塩水Ｗ２と軟水Ｗ１との混合が生じて、ボイラ給水Ｗ３の水質低下が生じ始める。
【００３７】
一方、薬注ブロー制御部３２ｂは、開閉弁３１が開いてからの、ボイラ給水Ｗ３中の軟水Ｗ１の割合の変化に伴って、このボイラ給水Ｗ３中の軟水Ｗ１の割合を算出し、この算出されたボイラ給水Ｗ３中の軟水Ｗ１の割合に対応させて、薬注装置１３からの薬液の注入割合と、缶水ブロー装置１４からの缶水Ｗ４のブロー率を算出する。そして、薬注ブロー制御部３２ｂは、算出した薬液の注入割合と缶水Ｗ４のブロー率と、各ボイラ１０への給水流量とに基づいて、各ボイラ１０の給水ライン１２ａに、薬注装置１３を介して、薬液を所定量だけ注入させるとともに、缶水ブロー装置１４を介して、各ボイラ１０の缶水Ｗ４を所定のブロー量でブローさせる。
【００３８】
そして、給水タンク１１中の液面レベルが高レベルＨまで上昇すると、レベル制御部３２ａは、開閉弁３１を閉じさせ、給水タンク１１への軟水Ｗ１の流入を停止させる。この場合、レベル制御部３２ａは、送水ポンプ２１ｃを止め、脱塩装置２１等の運転を停止させるので、ボイラ給水Ｗ３中の軟水Ｗ１の割合は、その後変化せず、薬注ブロー制御部３２ｂは、開閉弁３１を閉じた時と同じ条件で、薬注装置１３や缶水ブロー装置１４を制御する。その後、一定時間が経過して、脱塩装置２１が運転されると、ボイラ給水Ｗ３中の軟水Ｗ１の割合が減少してくる。そこで、薬注ブロー制御部３２ｂは、給水タンク１１内のボイラ給水Ｗ３中の軟水Ｗ１の割合に対応させて、薬注装置１３からの薬液の注入割合と、缶水ブロー装置１４からの缶水Ｗ４のブロー率を算出し、上述のように、薬注装置１３と缶水ブロー装置１４とを制御する。
【００３９】
以上のように、このボイラシステムＡでは、脱塩装置２１をバイパスするバイパスライン３０の開閉弁３１を開けて、給水タンク１１内に軟水Ｗ１を流入させ、給水タンク１１内のボイラ給水Ｗ３に大きな水質低下（水質変動）を生じさせても、この水質低下（水質変動）に対応させて、薬注装置１３や缶水ブロー装置１４の運転状態を変えるようにしているので、缶水Ｗ４中の不純物濃度の値や変動幅を小さく抑えて安定化することができ、ボイラ１０側に、キャリオーバ、スケール障害、腐食といった不都合を生じさせることはない。このため、このボイラシステムＡでは、ボイラ給水Ｗ３を作る水処理装置２の一部（脱塩装置２１）の処理能力を、ボイラ１０，１０の最大負荷時に要求される処理能力より充分に小さくでき、水処理装置２が過大になるのを効果的に防止できる。
【００４０】
また、水処理装置２の一部（脱塩装置２１）の処理能力を、ボイラ１０，１０の最大負荷時に要求される処理能力より小さくするとともに、この処理能力を小さくした装置（脱塩装置２１）をバイパスするバイパスライン３０を設けて、このバイパスライン３０の開閉弁３１を給水タンク１１の水位によって制御し、かつ、開閉弁３１を開くことにより生じるボイラ給水Ｗ３の水質低下に対応させて、薬注装置１３からの薬液注入量やボイラ１０からの缶水Ｗ４のブロー率を制御するような、ボイラシステムＡの運転方法においても、上記ボイラシステムＡの場合と同様な効果を得ることができる。
【００４１】
なお、水処理装置２は、軟水装置２０を有さず、脱塩装置２１のみのものであってもよいし、脱塩装置２１を有さず、軟水装置２０のみのものであってもよい。この場合、バイパスライン３０を介して、給水タンク１１中に硬度成分を多く有するボイラ給水Ｗ３が供給されるため、ボイラ１０側においてスケール障害等が生じやすくなる。このため、この場合には、薬注装置１３においてスケール防止剤の注入量が増加されるとともに、缶水ブロー装置１４においてブロー率が大きく増加される。
【００４２】
また、水処理装置２は、脱酸素装置を有するものであってもよい。バイパスライン３０が脱酸素装置に設けられている場合、バイパスライン３０を介して、給水タンク１１中に溶存酸素を多く有するボイラ給水Ｗ３が供給される。このため、この場合には、薬注装置１３において脱酸素剤の注入が開始されるか、又は脱酸素剤の注入量が増加される。
【００４３】
さらに、脱塩装置２１は、逆浸透膜やナノろ過膜といったろ過膜を使用したものの他、他のタイプのものであってもよい。
【００４４】
また、バイパスライン３０は、水処理装置の一部（複数箇所でもよい）のみでなく、水処理装置全体に設けるものであってもよい。
【００４５】
さらに、開閉弁３１から薬注ブロー制御部３２ｂに出される弁の開閉の信号は、レベル制御部３２ａから薬注ブロー制御部３２ｂに出すようにしてもよい。
【００４６】
また、通水弁（開閉弁３１）は、弁の開度によってバイパスライン３０を流れる軟水Ｗ１の流量をコントロールできるものであってもよい。例えば、給水タンク１１の水レベルが低レベルＬの場合には、通水弁（開閉弁３１）の弁開度を大きくして、バイパスライン３０に多量の軟水Ｗ１が流れるようにし、給水タンク１１の水レベルが高レベルＬに近づくと、通水弁（開閉弁３１）の弁開度を小さくして、バイパスライン３０に少量の軟水Ｗ１しか流れないようにしてもよい。この場合、バイパスライン３０に流量計を設けて、開閉弁３１を通過する軟水Ｗ１の量をこの流量計で計測し、この計測値に基づいて、薬注ブロー制御部３２ｂに、ボイラ給水Ｗ３中の軟水Ｗ１の割合を算出させるようにしてもよい。
【００４７】
さらに、ボイラ１０の給水ライン１２ａに、ボイラ給水Ｗ３の水質を計測できる計測器（例えば、電気伝導度計や溶存酸素計）を設け、薬注ブロー制御部３２ｂは、開閉弁３１の開閉に基づいて、ボイラ給水Ｗ３中の軟水Ｗ１の割合を算定するのでなく、この計測器の出力に基づいて、薬注装置１３や缶水ブロー装置１４を制御してもよい。
【００４８】
つぎに、ボイラシステムＡについての、実機を用いた試験結果について以下説明する。
水処理装置２における、原水Ｗ０、軟水Ｗ１、脱塩水Ｗ２の平均的水質は、図２で示されている。２缶のボイラ１０，１０の合計の負荷、すなわち、合計の給水量は、図３で示されるように、日中と夜間とで大きく変化する。２缶のボイラ１０，１０のピーク負荷を考慮すれば、図３から、水処理装置２には、２５ｔ／ｈｒ以上の処理能力が要求されるが、このときの脱塩装置２１の処理能力は、１２ｔ／ｈｒとされた。
【００４９】
薬注装置１３は清缶剤のみを注入する。この薬注装置１３は、開閉弁３１を開けているとき及び開閉弁３１を閉じて一定時間が経過するまでは、薬注ポンプ１３ｂからの清缶剤の吐出量が、通常の場合（ボイラ１０に脱塩水Ｗ２のみが供給される場合）の１／１０程度に抑えられるように制御される。
【００５０】
缶水ブロー装置１４は、ブロー弁１４ａの開閉制御を簡易的に行うために、ブロー弁１４ａの横にブローバイパス弁を備えている。この缶水ブロー装置１４は、通常の場合（ボイラ給水Ｗ３に脱塩水Ｗ２が用いられる場合）には、ブロー弁１４ａを用いて缶水Ｗ４の５％ブローを行うように制御されるとともに、開閉弁３１を開けているとき及び開閉弁３１を閉じて一定時間経過するまでは、ブローバイパス弁も開けて、ブロー弁１４ａとブローバイパス弁とで、缶水Ｗ４の７％ブローを行うように制御される。
【００５１】
図４は、ブロー率を例えば２段階制御する上記ボイラシステムＡと、ブロー率を最大値（７％）で一定としたボイラシステムとについて、缶水Ｗ４の電気伝導率の変化を比較したものである。ブロー率が一定（７％）の場合には、缶水Ｗ４の電気伝導率は、平均値については２９０mS/mと小さいが、個々の値については２３０〜４００mS/mと大きく変動し（開閉弁３１が開くと上昇し、開閉弁３１が閉じると低下する）、２日間の総ブロー量も、８１．７ｔとなる。また、ブロー率を２段階制御するボイラシステムＡでは、缶水Ｗ４の電気伝導率は、平均値については３４０mS/mと大きくなるが、個々の値については３００〜３５０mS/mと変動幅が小さくなり、２日間の総ブロー量も、７４．７ｔとなる。このボイラシステムＡの場合、缶水Ｗ４の電気伝導率は上昇するが、その変動幅を小さく抑えることができ、ボイラ１０，１０側に、キャリオーバ、スケール障害、腐食等といった水処理に起因する問題が生じるのを抑えることができるとともに、ブロー量も１日当たり３．５ｔ（８．５％）削減することができた。
【００５２】
なお、実機を用いた試験では、２つの薬注装置を準備し、ボイラ給水Ｗ３が脱塩水Ｗ２だけの場合と、開閉弁３１を開けてボイラ給水Ｗ３に軟水Ｗ１が加えられた場合とで、この２つの薬注装置を使い分けたが、この場合においても、２つの薬注装置の制御はうまくいき、かつ、ボイラ給水Ｗ３中の防食剤成分の値に低下が生じることはなかった。
【図面の簡単な説明】
【００５３】
【図１】この発明の一実施の形態に係るボイラシステムのフローを示す図である。
【図２】実機を用いた試験で使用される水処理装置２中の、原水、軟水、脱塩水の水質を示す図である。。
【図３】実機を用いた試験で使用される２缶のボイラの給水量の変化、給水タンクの保有水量の変化、脱塩装置の運転／停止の状態、開閉弁の開閉の状態を示す図である。
【図４】実機を用いた試験で、缶水のブロー率を２段階（５％と７％）に制御する場合と、最大値（７％）で一定とした場合における、缶水中の電気伝導率の変化を示すグラフである。
【符号の説明】
【００５４】
２  水処理装置
１０  ボイラ
１１  給水タンク
１３  薬注装置
１４  缶水ブロー装置
３０  バイパスライン
３１  開閉弁（通水弁）
３２  制御装置
Ａ  ボイラシステム
Ｗ１  軟水Ｗ
Ｗ３  ボイラ給水
Ｗ４  缶水
【図１】
0005190674.tif 000002
【図２】
0005190674.tif 000003
【図３】
0005190674.tif 000004
【図４】
0005190674.tif 000005